(57)【要約】【課題】  ＲＣの壁、柱、梁に配置した鉄筋と型枠間のかぶり厚を一定にするための型枠−鉄筋間のかぶり厚保持部材と、その部材を用いたコンクリート構造物とを提供する。【解決手段】  相対する型枠とその内部にある鉄筋間の距離を一定にするためのもので、型枠の内面に当接する尖形部と、型枠に近い方の鉄筋に嵌合する結合部とからなる左右１対のスペーサと、これらスペーサ間を連結した連結鋼棒と、からなる型枠−鉄筋間のかぶり厚保持部材と、その部材を用いたコンクリート構造物。【選択図】      図１
2013133691.tif 000002
【特許請求の範囲】
【請求項１】
相対するそれぞれの型枠の内面に当接する略尖形部と、型枠内で縦横に交差する鉄筋のうち型枠に近い方の鉄筋に嵌合する結合部を有する左右一対のスペーサと、互いのスペーサ間に連結した連結鋼棒を配置したものと、からなる型枠−鉄筋間のかぶり厚保持部材。
【請求項２】
前記請求項１におけるスペーサが弾性を有する合成樹脂製で、また連結鋼棒を丸棒鋼とした請求項１に記載の型枠−鉄筋間のかぶり厚保持部材。
【請求項３】
型枠内において、連結鋼棒の両側にあるスペーサを、相対する型枠の内面に点状態で当接するとともに、縦横に交差する鉄筋のうち型枠に近い方の鉄筋に結合部を嵌合させて、型枠−鉄筋間のかぶり厚保持部材を配置し、前記型枠内にコンクリートを打設しているコンクリート構造物。
【請求項４】
前記縦横に交差する鉄筋のうち型枠に近い方の鉄筋を横筋とし、これに交差する遠い方の鉄筋を縦筋として、該縦筋と前記横筋を結束筋で結束した壁として用いる請求項３に記載のコンクリート構造物。
【請求項５】
前記縦横に交差する鉄筋のうち型枠に近い方の鉄筋をフープ筋とし、このフープ筋に交差する遠い方の鉄筋を主筋として、該主筋と前記フープ筋を結束筋で結束した柱として用いる請求項３に記載のコンクリート構造物。
【請求項６】
前記縦横に交差する鉄筋のうち型枠に近い方の鉄筋をスターラップ筋とし、これに交差する遠い方の鉄筋を腹筋又は主筋として、該主筋と前記スターラップ筋を結束筋で結束した梁として用いる請求項３に記載のコンクリート構造物。
【発明の詳細な説明】
【技術分野】
【０００１】
本発明は、ＲＣの壁、柱又は梁に用いる型枠−鉄筋間のかぶり厚保持部材と、その部材を用いたコンクリート構造物に関する。
【背景技術】
【０００２】
壁、柱又は梁などのＲＣを作る場合、型枠内に配筋してからコンクリートを打設する際に、そのコンクリートの表面から鉄筋までのかぶり厚を一定にするコンクリート打設用スペーサがある。
【０００３】
現在使われている図１２は、切り溝Ａ−１を有するスペーサＡを、壁（図１３）や梁（図１４）の型枠Ｄ，Ｇ内の配筋Ｂ，Ｆに嵌入する場合、その配筋Ｂ，Ｆの長さ方向にクロスして設置したものに対して、コンクリートを鉄筋の長さ方向の型枠Ｄ，Ｇ内に打設する。しかし、これらは図１１と図１２の左（打設前）から右（打設後）に示す（矢印）ように、スペーサＡ上に骨材Ｃ−１、Ｃ−２が引っ掛かり、コンクリートの打設不良（ジャンカ）になる虞れがある。
【０００４】
また、特許文献１の発明は、その文献中の番号をもって説明すれば、鉄筋（１０ａ）にスペーサ（１）の着脱固定部（２）を固定し、その着脱固定部（２）から軸体（８）を伸ばし、その先端にある面状の脚部（９）（鴨足腹状）を型枠（１１）の内面に面状に当接するスペーサ（１）が開示されている。
【０００５】
その他に、特許文献２の発明のように、キャップ（６）を有する上下の連結縦筋（２，３）と連結したコーナ横筋からなるスペーサを主筋にクロスしたフープ筋（ａ，・・・ａn）に取り付け固定するものもある。
【０００６】
しかしながら、特許文献１のスペーサの一側部を鉄筋（１０ａ）に着脱固定部（２）で固定し、他側部の脚部（９）を型枠（１１）に当接するだけでなく、これとともに相対する型枠（１１）間にセパレータ（１２）を設置している。したがって、この構造では、数多くの材料、すなわちスペーサ（１）の他にセパレータも設置しなければならないという工程が必要となる。また、コンクリートを前記セパレータ（１２）を埋め殺しながらスペーサ（１）の下方位置までコンクリートを打設し、前記スペーサ（１）を鉄筋（１０ａ）から取り外してコンクリート内に埋設しないようにしたものであり、なによりも部材点数が多く、工程に時間が掛かるという問題がある。
【０００７】
そしてまた、特許文献２の主筋用スペーサは、図３，４に示すように、コーナ用スペーサ（図１）のコーナ横筋（１）を、上下２段のフープ筋（ａ,・・・ａn）の間隔に合致して取り付けなければならないために、上下のフープ筋の間隙を一定にしなければ取り付けに段差が生じ、取り付けが困難になるだけでなく、型枠Ｂとのかぶり厚を一定にできないという不都合が生じる。
【先行技術文献】
【特許文献】
【０００８】
【特許文献１】特開２０１１−１９６１５３号公報
【特許文献２】特開平０８−１２０８３２号公報
【発明の概要】
【発明が解決しようとする課題】
【０００９】
本発明は、前記従来例の欠点を解決するもので、その課題として、相対する型枠間を定距離にするだけでなく、型枠と配筋間のかぶり厚を一定にするとともに、型枠に当接する箇所をできるだけ小さな面積とした型枠−鉄筋間のかぶり厚保持部と、それを用いたコンクリート構造物を提供するものである。
【課題を解決するための手段】
【００１０】
本発明である請求項１の要旨は、相対するそれぞれの型枠の内面に当接する略尖形部を設け、型枠内で縦横に交差する鉄筋のうち型枠に近い方の鉄筋に嵌合する結合部を有する一対のスペーサと、互いのスペーサ間に連結した連結鋼棒を配置したものとからなる型枠−鉄筋間のかぶり厚保持部材にある。
【００１１】
請求項２の発明は、前記結合部を、弾性体を有する合成樹脂製とすることで、鉄筋に交差する方向から容易に嵌合できる。ここでの合成樹脂は、高密度ポリエチレンを用いるとよい。
連結鋼棒は、鉄筋と同一か同種素材を選択することで、コンクリートとの一体化が図れる。
【００１２】
本発明である請求項３の発明は、型枠内において、連結鋼棒の両側にあるスペーサを、相対する型枠の内面に点状態で当接するとともに、縦横に交差する鉄筋のうち型枠に近い方の鉄筋に結合部を嵌合させて、対向する型枠−鉄筋間にかぶり厚保持部材を配置し、前記型枠内にコンクリートを打設しているコンクリート構造物にある。
【００１３】
前記略尖形部を点状態で当接するとは、スペーサの先端に面積がないという意味ではなく、当接するところが小さい面状として存在するという意味である。
【００１４】
請求項４の発明は壁に用いたもので、また請求項５は柱に用いたもので、さらに請求項６は梁に用いたものである。
【発明の効果】
【００１５】
本発明は、相対する型枠とその型枠に近い鉄筋までのかぶり厚を一定にし、しかも連結鋼棒の両側に型枠の内面に小さい面積で当接することで、ジャンカをできるだけ生じないようにした。
また、スペーサに設けた結合部を、ＲＣの鉄筋のうち、型枠に近い方の鉄筋にのみ嵌合させることにより、近い方の鉄筋とクロスして結合することで、遠方の鉄筋をも型枠側に近づけないようにでき、対向する型枠のコンクリートのかぶり厚を、単純で短時間の操作により一定にできる。
【図面の簡単な説明】
【００１６】
【図１】本発明である型枠−鉄筋間のかぶり厚保持部材の正面図である。
【図２】図１の平面図である。
【図３】図１の底面図である。
【図４】図１の右側面図である。
【図５】図１の左側面図である。
【図６】壁に図１の型枠−鉄筋間のかぶり厚保持部材を用いた正面方向の断面図である。
【図７】図６の底断面図である。
【図８】柱に、図１の型枠−鉄筋間のかぶり厚保持部材を用いた正面方向の断面図である。
【図９】図８を小さくして全体が判るようにした底断面図である。
【図１０】梁に、図１の型枠―鉄筋間のかぶり厚保持部材を用いた正面方向の断面図である。
【図１１】図１０を小さくして全体が判るようにした底断面図である。
【図１２】従来のスペーサの正面図である。
【図１３】壁に、正しくスペーサを取り付けたもので、左側はコンクリートの打設前のもので、右側はコンクリートを打設した際に骨材が、スペーサ上に引っ掛かった状態の説明図である。
【図１４】梁に、正しくスペーサを取り付けたもので、左側はコンクリートの打設前のもので、右側はコンクリートを打設した際の骨材が、スペーサ上に引っ掛かった状態の説明図である。
【発明を実施するための形態】
【００１７】
請求項１である型枠−鉄筋間のかぶり厚保持部材としての発明は、型枠内で縦横に交差する鉄筋のうち、型枠に近い方の鉄筋に、スペーサの結合部を嵌合することで、遠い方の鉄筋をも型枠側へ近寄らないようにできる。
また、中央にある連結鋼棒はその両側にあるスペーサを相対する型枠の内面に小さい面積で当接することにより、両側のスペーサと型枠間のかぶり厚を一定にし、型枠を外した後のコンクリート表面を美麗に仕上げるものである。
【００１８】
請求項２は、スペーサを弾性を有する合成樹脂が、例えば高密度ポリエチレン製を用いることで、スペーサの結合部を異径鉄筋へ嵌合することを容易にした。
【００１９】
請求項３の発明は、丸棒鋼などの連結鋼棒の両側にあるスペーサの略尖形部を型枠の内面に点状態に当接し、しかもこのスペーサの根元にある結合部を鉄筋に嵌合させて型枠−鉄筋間のかぶり厚保持部材を配置し、型枠内にコンクリートを打設しているコンクリート構造物を仕上げる。
この場合のスペーサの外形は、傘を閉じたような形態になっているために、従来例のように、その上にコンクリートの骨材を載積すること（ジャンカ）が少ない。また、上記したように、連結鋼棒の両側にあるスペーサの結合部を左右型枠側の鉄筋に嵌合し、その先端を型枠の内側に当接することで、スペーサの結合部の箇所と先端との距離、すなわちかぶり厚を一定にする。
【００２０】
前記請求項３を壁に用いるときは、交差する鉄筋は縦筋と横筋とで成り立ち、型枠に相対向する横筋に型枠−鉄筋間のかぶり厚保持部材を取り付ける。
【００２１】
前記請求項３を柱に用いるときは、交差する鉄筋は主筋とフープ筋とから成り、型枠に相対向するフープ筋に型枠−鉄筋間のかぶり厚保持部材を取り付ける。
【００２２】
前記請求項３を梁に用いるときには、腹筋２４，２５とスターラップ筋２２，２３、又は梁筋２６，２７とスターラップ筋２２，２３とから成り、型枠に相対向するスターラップ筋に型枠−鉄筋間のかぶり厚保持部材を取り付ける。
【実施例】
【００２３】
図１乃至図５は、本発明の型枠−鉄筋間のかぶり厚保持部材の正面図、平面図、及び底面図である。中心にある鉄製の連結鋼棒１の左右には、弾性を有する高密度ポリエチレン製の合成樹脂で一体成形した同形のスペーサ２，３を配置している。
スペーサ２，３は、根元が丸く（コーナ部が丸い角状でもよい）先に行くにしたがって細くなって全体が略傘状の形態で、根元の下部には補強リブ４，５を設けるとともに、両側の先を開いた略馬蹄形の結合部６，７を外側の配筋側に一体に設けている。
【００２４】
つぎに、前記型枠−鉄筋間のかぶり厚保持部材を壁、柱、及び梁に、それぞれ取り付けた実施例を示す。
第１の実施例は、相対する型枠１２，１３内面から近い方の異形横筋８，９と遠い方の異形縦筋１０，１１とが交差して配筋されている壁の実施例であり、その横筋８，９に対して直角方向から少し傾けて設けた結合部６，７を嵌合して、型枠−鉄筋間のかぶり厚保持部材を取り付けたものである（図６、図７）。前記異形横筋８，９と縦筋１０，１１の交差部は、結束筋で結束している（図示せず）。
取り付け方法は、型枠−鉄筋間のかぶり厚保持部材の結合部６，７の入口部を、左右の横筋８，９に、合成樹脂製の弾性を利用して、押圧により拡開しながら、嵌入したものである。嵌入の手順は、左右の入口部のいずれか一方を先に、残りを後にしてもよいが、結合部と横筋との角度が９０度近くであれば同時に嵌合できる。
【００２５】
第２の実施例は、型枠１４，１５内面から近い方向の異形横筋からなるフープ筋１６，１７と遠い方の異形縦筋からなる主筋とが交差して配筋されている柱の実施例であり、そのフープ筋に型枠−鉄筋間のかぶり厚保持部材を取り付けたものである（図８、図９）。なお、フープ筋１６，１７と主筋１８，１９の交差部は結束筋で結束している（図示せず）。
取り付け方法は、前記実施例１と同様に、型枠−鉄筋間のかぶり厚保持部材の結合部６，７を、左右のフープ筋１６，１７へ各別に嵌入するか、同時に嵌合する。
【００２６】
第３の実施例は、型枠２０，２１内面から近い方の異形横筋からなるスターラップ筋２２，２３と遠い方の異形縦筋の腹筋とが交差して配筋されている梁の実施例であり、そのスターラップ筋に型枠−鉄筋間のかぶり厚保持部を取り付けたものである（図１０、図１１）。また、これとは別に、スターラップ筋２２，２３のコーナにある主筋２６、２７上に、本発明の型枠―鉄筋間のかぶり厚保持部材にも利用することができる。なお、スターラップ筋２２，２３と腹筋２４，２５との交差部には結束筋で結束している（図示せず）。
取り付け方法は、前記壁や柱の場合と同様であり、型枠−鉄筋間のかぶり厚保持部材の結合部を左右のスターラップ筋２２，２３へ各別、又は同時に嵌合する。
【産業上の利用可能性】
【００２７】
本発明は、型枠−鉄筋間のかぶり厚保持部材とそれを用いたコンクリート構造物に利用することができる。
【符号の説明】
【００２８】
１                                    連結鋼棒
２，３                                スペーサ
４，５                                補強リブ
６，７                                結合部
８，９                                縦筋
１０，１１                            横筋
１６，１７                            フープ筋
１８，１９，２６                      主筋
２２，２３                            スターラップ筋
２４，２５                            腹筋
１２，１３，１４，１５，２０，２１    型枠
【図１】
2013133691.tif 000003
【図２】
2013133691.tif 000004
【図３】
2013133691.tif 000005
【図４】
2013133691.tif 000006
【図５】
2013133691.tif 000007
【図６】
2013133691.tif 000008
【図７】
2013133691.tif 000009
【図８】
2013133691.tif 000010
【図９】
2013133691.tif 000011
【図１０】
2013133691.tif 000012
【図１１】
2013133691.tif 000013
【図１２】
2013133691.tif 000014
【図１３】
2013133691.tif 000015
【図１４】
2013133691.tif 000016